(57)【要約】      （修正有）【課題】レンズ駆動装置に応用する防振ユニットを提供する。【解決手段】防振ユニット１０は、内部受容環と、外部固定環と、少なくとも１つのサスペンション部材とを備える。前記少なくとも１つのサスペンション部材の第１端は、前記内部受容環に固定され、第２端は、前記外部固定環に固定される。前記少なくとも１つのサスペンション部材は、前記外部固定環を固定支点として前記内部受容環が懸架状態になり、前記内部受容環を可動部に形成させる。当該サスペンション部材の第２端は、前記外部固定環から延伸し、前記外部固定環と所定長さ平行に延びてからＵ字型に形成され、第１端により前記内部受容環に固定される。前記内部受容環は、レンズホルダ３０を受容するために用いられ、前記外部固定環は、前記レンズ駆動装置の上蓋５０または台座４０に固定される。【選択図】図２
0003202967.tif 000002
【実用新案登録請求の範囲】
【請求項１】
レンズ駆動装置に応用する防振ユニットであって、
前記防振ユニットは、内部受容環と、外部固定環と、少なくとも１つのサスペンション部材とを備え、
前記少なくとも１つのサスペンション部材の第１端は、前記内部受容環に固定され、第２端は、前記外部固定環に固定され、
前記少なくとも１つのサスペンション部材は、前記外部固定環を固定支点として前記内部受容環が懸架状態になり、前記内部受容環を可動部に形成させ、
その中、当該サスペンション部材の前記第２端は、前記外部固定環から延伸し、前記外部固定環と所定長さ平行に延びてからＵ字型に形成され、前記第１端により前記内部受容環に固定され、
前記内部受容環は、レンズホルダを受容するために用いられ、前記外部固定環は、前記レンズ駆動装置の上蓋または台座に固定されることを特徴とする、レンズ駆動装置に応用する防振ユニット。
【請求項２】
前記少なくとも１つのサスペンション部材の巾を調整することにより、前記防振ユニットが好適な防振係数に達することを特徴とする、請求項１に記載のレンズ駆動装置に応用する防振ユニット。
【請求項３】
前記防振ユニットは、弾性疲労板材で一体成形されて製作されることを特徴とする、請求項１に記載のレンズ駆動装置に応用する防振ユニット。
【請求項４】
さらに第２防振ユニットを備えることを特徴とする、請求項１に記載のレンズ駆動装置に応用する防振ユニット。
【考案の詳細な説明】
【技術分野】
【０００１】
本開示は、レンズ駆動装置に応用する防振ユニットに関するものである。
【背景技術】
【０００２】
スマートフォンは、コミュニケーションに多大な利便性をもたらすことができ、科学技術の発達につれて、音声伝達の連絡ツールとしてのみならず、それは写真撮り及びビデオ撮影の機能を有し、さらに多くの人は、在フェイスブックに生活のしずくを分かち合うことができる基本装備でもある。いつでもどこでも友人と最新の動的情報を交換したりすることができる。超高解像度の写真と高速なフォーカスモードは、スマートフォン中の不可欠な機能となっている。上記の基本機能を達成するために、携帯電話中のレンズモジュールは、使用者の購入意向を左右する原因の一つである。携帯電話中のレンズモジュールは、極めて精細な部材であり、狭い有限空間においてレンズを迅速かつ正確に動作させ、かつレンズの保護機能も有することは、実に一大試練である。
【考案の概要】
【考案が解決しようとする課題】
【０００３】
レンズモジュールは、多くの細部部品を備え、その中、フォーカスレンズを装着するレンズホルダは作動可能な部材であり、それはカメラにフォーカスの基本機能を提供し、レンズホルダをどんな場合（例えば携帯電話の落下の発生または他の強大な衝撃原力の生成）においても円滑に作動させるために、レンズモジュールは、外部からの強大な振動力または衝撃力を直接に吸収できる設計を必要とする。
【課題を解決するための手段】
【０００４】
一実施例によれば、レンズ駆動装置に応用する防振ユニットを提供し、前記防振ユニットは、内部受容環と、外部固定環と、少なくとも１つのサスペンション部材とを備える。前記少なくとも１つのサスペンション部材の第１端は、前記内部受容環に固定され、第２端は、前記外部固定環に固定される。前記少なくとも１つのサスペンション部材は、前記外部固定環を固定支点として前記内部受容環が懸架状態になり、前記内部受容環を可動部に形成させる。当該サスペンション部材の第２端は、前記外部固定環から延伸し、前記外部固定環と所定長さ平行に延びてからＵ字型に形成され、第１端により前記内部受容環に固定される。前記内部受容環は、レンズホルダを受容するために用いられ、前記外部固定環は、前記レンズ駆動装置の上蓋または台座に固定される。
【考案の効果】
【０００５】
本開示のレンズ駆動装置に応用する防振ユニットにおいて、防振ユニットは、一体成形の設計であり、それは、衝撃の際に生じるエネルギーを緩和する効果を有し、受容されるレンズ群を保護することにより、このレンズ駆動装置を持続的に作動させるように維持することができる。
【図面の簡単な説明】
【０００６】
【図１】本開示の一実施例により、レンズ駆動装置に応用する防振ユニットを説明する図である。
【図２】２個の防振ユニットの使用を示す分解模式図である。
【図３】図２中の２個の防振ユニットの結合を説明する模式図である。
【考案を実施するための形態】
【０００７】
以下、当業者が容易に理解できるように、添付する図面を参照しながら、本開示の実施例に基づいて詳細に説明する。ここで述べる創意は、多種の変化の実施方式を採用でき、これらの実施例に限定されるわけではない。本開示では既に熟知している部分（ｗｅｌｌ−ｋｎｏｗｎ  ｐａｒｔ）の記述を省略し、本開示において同じ構成要素を表す場合は同じ参照符号を用いる。
【０００８】
図１は、本開示の一実施例により、レンズ駆動装置に応用する防振ユニットを説明する図である。図１に示すように、レンズ駆動装置に応用する防振ユニット１０は、内部受容環１１と、外部固定環１２と、少なくとも１つのサスペンション部材１３とを備える。少なくとも１つのサスペンション部材１３の第１端１３１は、内部受容環１１に固定され、第２端１３２は、外部固定環１２に固定される。少なくとも１つのサスペンション部材１３は、外部固定環１２を固定支点として内部受容環１１が懸架状態になり、内部受容環１１を可動部に形成させる。サスペンション部材１３の第２端１３２は、外部固定環１２から延伸し、外部固定環１２と所定長さ平行に延びてからＵ字型１３３に形成され、第１端１３１により内部受容環１１に固定される。
【０００９】
その中、少なくとも１つのサスペンション部材１３の巾（例えばａ）を調整することにより、防振ユニット１０が好適な防振係数に達する。防振ユニット１０は、弾性疲労板材で一体成形されて製作される。
【００１０】
図２は、２個の防振ユニットの使用を示す分解模式図である。図２に示すように、防振ユニット１０は、レンズホルダ３０の上方に設置され、第２防振ユニット２０は、レンズホルダ３０の下方に設置される。上蓋５０は、防振ユニット１０の上に設置され、台座４０は、第２防振ユニット２０の下方に設置される。
【００１１】
図３は、図２中の２個の防振ユニットの結合を説明する模式図である。図３に示すように、防振ユニット１０の内部受容環１１は、レンズホルダ３０の上部に結合され、外部固定環１２は、上蓋５０に結合される。相似的に、第２防振ユニット２０の内部受容環１１は、レンズホルダ３０の下部に結合され、第２外部固定環２２は、台座４０に結合される。
【産業上の利用可能性】
【００１２】
なお、以上に開示される図面及び説明は、本開示の実施例に過ぎず、本開示の実施の範囲を限定するためのものではなく、当前記技芸を熟練する者であれば、本開示の精神に基づきなし得る変化或いは修飾は、いずれも以下の本出願の実用新案登録請求の範囲に包含されるものとする。
【符号の説明】
【００１３】
１０  防振ユニット
１１  内部受容環
１２  外部固定環
１３  サスペンション部材
１３１  第１端
１３２  第２端
１３３  Ｕ字型
ａ  巾
２０  第２防振ユニット
２２  第２外部固定環
３０  レンズホルダ
４０  台座
５０  上蓋
【図１】
0003202967.tif 000003
【図２】
0003202967.tif 000004
【図３】
0003202967.tif 000005